(57)【特許請求の範囲】
【請求項１】
信号用電線および接地用電線を含む複数の電線を有するケーブルを接続対象に接続するコネクタであって、
絶縁体からなるケースと、
前記接続対象のジャックに挿入される被挿入部を有し、当該被挿入部が前記ケースから突出するように前記ケースに収容されるプラグ部と、
前記ケースに収容され、前記複数の電線を前記プラグ部に案内する絶縁体からなるガイド部材と、を備え、
前記プラグ部は、
前記被挿入部が形成された導体からなるシェルと、
前記被挿入部が前記ジャックに挿入された際に前記ジャックの信号用コンタクトと弾性接触することにより当該信号用コンタクトと電気的に接続する可動接点部と、当該可動接点部の幅よりも広い幅を有し、前記電線と接続する電線接続部と、を有する複数の第１コンタクトと、
前記第１コンタクトの長さよりも短い長さを有し、前記被挿入部が前記ジャックに挿入された際に前記ジャックのグランド用コンタクトと弾性接触することにより当該グランド用コンタクトと電気的に接続する可動接点部と、前記電線に直接的に接続しない接地接点部と、を有する複数の第２コンタクトと、
前記第２コンタクトの前記電線側の端部を前記第１コンタクトの前記電線接続部よりも前記被挿入部側に偏倚するように、当該第１コンタクトと当該第２コンタクトとを並列させて収容する絶縁体からなるコンタクト収容部材と、を備え、
前記第２コンタクトの並列方向に対して垂直な方向に沿って前記ガイド部材の内部に収容され、前記接地接点部に接触する接地端子と、
前記ケースに収容され、前記接地用電線と電気的に接続する接地用電線接続部と、前記接地接点部とは反対側で前記接地端子と電気的に接続する接地端子接続部とを有する導体からなるカバー部材とを備えているコネクタ。
【請求項２】
前記接地端子は、前記第２コンタクトの前記接地接点部と弾性接触する可動接点部を備えている請求項１記載のコネクタ。
【請求項３】
前記ガイド部材は、前記信号用電線を挿通する電線ガイド孔と、前記電線接続部の端部を挿入するコンタクトガイド孔とを有し、
前記電線接続部の端部は、前記電線ガイド孔に挿通された前記信号用電線を挟み込む請求項１又は２に記載のコネクタ。
【請求項４】
前記シェルは、前記カバー部材に接続するカバー接続部を備えている請求項１から３のいずれか一項に記載のコネクタ。
【発明の詳細な説明】
【技術分野】
【０００１】
本発明は、複数の電線を有するケーブルを接続対象に接続するコネクタに関する。
【背景技術】
【０００２】
複数の電線を有するケーブルを接続対象に接続するコネクタは、内部に電線に対応する端子板（コンタクト）を備えている。電線とコンタクトとは半田付けや圧接接続（ＩＤＣ：Ｉｎｓｕｌａｔｉｏｎ  Ｄｉｓｐｌａｃｅｍｅｎｔ  Ｃｏｎｔａｃｔ）等によって接続することができる。
【０００３】
圧接接続では、電線に接続するコンタクトの端部をＵ字状に構成し、そこに形成された凹部で電線を挟持している。そのため、コンタクトのＵ字状の端部の幅は、電線の太さよりも大きくなっている。したがって、Ｕ字状の端部が一列に並ぶようにコンタクトを配置すると、コネクタの幅がケーブルの太さよりも大きくなり、好ましくない。
【０００４】
このような問題を解決するために、特許文献１のコネクタでは、コンタクトの一方の端部には接続対象機器と接続する端子部が形成され、他方の端部には電線と接続する電線接続部が形成されている。また、複数のコンタクトの配置は、端子部が一列に配置され、電線接続部が複数列に配置され、かつ、複数列の夫々の配置位置がコネクタの接続方向に沿って複数の位置となるように設定されている。
【０００５】
特許文献１のコネクタは、このようにコンタクトを構成することにより、一列あたりに配置される電線接続部の個数を減少させ、端子部間の距離を小さく設定した場合であっても同列に配置された電線接続部間のスペースを確保している。また、複数列の夫々の配置位置をコネクタの接続方向に沿って複数の位置とすることにより、列毎のスペースを確保している。これにより、電線接続部と電線との接続のためのスペースを確保しつつコンパクトで組み立てが容易なコネクタを実現している。
【０００６】
また、コネクタから信号を伝送するために必要なコンタクト以外のコンタクトを除去することでもコネクタの幅を小さくすることができる。
【先行技術文献】
【特許文献】
【０００７】
【特許文献１】特開２００８−０８４７９９号公報
【発明の概要】
【発明が解決しようとする課題】
【０００８】
しかしながら、上述の特許文献１のコネクタのようにコンタクトを配置すると、ペア内スキュー（Ｉｎｔｒａ  Ｐａｉｒ  Ｓｋｅｗ）や差動インピーダンス（Ｄｉｆｆｅｒｅｎｔｉａｌ  Ｉｍｐｅｄａｎｃｅ）等の伝送特性が低下するおそれがある。また、コネクタから信号を伝送するために必要なコンタクト以外のコンタクトを除去した場合には、Ｃｒｏｓｓｔａｌｋ等の伝送特性が低下するおそれがある。
【０００９】
本発明は上記課題に鑑みてなされたものであり、その目的は、組立が容易であり、伝送特性に優れたコンパクトなコネクタを提供することである。
【課題を解決するための手段】
【００１０】
前記課題を解決するために、本発明のコネクタは、信号用電線および接地用電線を含む複数の電線を有するケーブルを接続対象に接続するコネクタであって、絶縁体からなるケースと、前記接続対象のジャックに挿入される被挿入部を有し、当該被挿入部が前記ケースから突出するように前記ケースに収容されるプラグ部と、前記ケースに収容され、前記複数の電線を前記プラグ部に案内する絶縁体からなるガイド部材と、を備え、前記プラグ部は、前記被挿入部が形成された導体からなるシェルと、前記被挿入部が前記ジャックに挿入された際に前記ジャックの信号用コンタクトと弾性接触することにより当該信号用コンタクトと電気的に接続する可動接点部と、当該可動接点部の幅よりも広い幅を有し、前記電線と接続する電線接続部を有する複数の第１コンタクトと、前記第１コンタクトの長さよりも短い長さを有し、前記被挿入部が前記ジャックに挿入された際に前記ジャックのグランド用コンタクトと弾性接触することにより当該グランド用コンタクトと電気的に接続する可動接点部と、前記電線に直接的に接続しない接地接点部と、を有する複数の第２コンタクトと、前記第２コンタクトの前記電線側の端部を前記第１コンタクトの前記電線接続部よりも前記被挿入部側に偏倚するように、当該第１コンタクトと当該第２コンタクトとを並列させて収容する絶縁体からなるコンタクト収容部材と、を備え、前記ガイド部材は、前記第２コンタクトの前記接地接点部に接触する接地端子を備え、前記第２コンタクトの並列方向に対して垂直な方向に沿って前記ガイド部材の内部に収容され、前記接地接点部に接触する接地端子と、前記ケースに収容され、前記接地用電線と電気的に接続する接地用電線接続部と、前記接地接点部とは反対側で前記接地端子と電気的に接続する接地端子接続部とを有する導体からなるカバー部材とを備えている。
【００１１】
一般的に、電線と接続する部分はジャックのコンタクトと接触する部分に比べて幅広に構成されている。そのため、第１コンタクトと第２コンタクトとを、端部位置、特に、ケーブルの電線と接続する側の端部を整列させて並列配置すると、被挿入部の幅に比べて、ケーブルの電線と接続する側の幅が大きくなる。そのため、コネクタ自体が大きくなり好ましくない。そのため、上述の構成では、第１コンタクトと第２コンタクトとを並列配置する際に、第２コンタクトの電線側の端部を第１コンタクトの電線接続部よりも被挿入部側に偏倚させている。これにより、第１コンタクトの幅広に構成された部分、すなわち、第１コンタクトの電線接続部と、第２コンタクトの電線側の端部とが並列することを回避し、コネクタのケーブルに接続する側の端部の幅を狭くすることができる。
【００１２】
また、第２コンタクトの接地接点部はケーブルの電線には直接的に接続されていないものの、絶縁体からなるガイド部材に収容された接地端子に接触し、電気的に接続されている。そのため、第２コンタクトの電位は接地電位となっている。これにより、コネクタのクロストーク性能が低下することを防ぐことができる。さらに、カバー部材および接地端子を介して、電線の接地用電線と第２コンタクトとが電気的に接続されている。そのため、第２コンタクトとカバー部材とが同電位（接地電位）となり、コネクタのＥＭＩ（ＥｌｅｃｔｒｏＭａｇｎｅｔｉｃ Ｉｎｔｅｒｆｅｒｅｎｃｅ）特性および伝送特性を向上させることができる。
【００１３】
本発明のコネクタの好適な実施形態の一つでは、前記接地端子は、前記第２コンタクトの前記接地接点部と弾性接触する可動接点部を備えている。この構成では、接地端子と第２コンタクトの接地接点部とは弾性接触するため、容易かつ確実にこれらを接触させることができる。これは、特に、コネクタを作業場所で組み立てる等の場合に、作業者の負担を減らすことができ、また、作業者の技術の程度に依存しないコネクタの品質を維持することができる。
【００１４】
本発明のコネクタの好適な実施形態の一つでは、前記ガイド部材は、前記信号用電線を挿通する電線ガイド孔と、前記電線接続部の端部を挿入するコンタクトガイド孔とを有し、前記電線接続部の端部は、前記電線ガイド孔に挿通された前記信号用電線を挟み込む。さらに、前記シェルに、前記カバー部材に接続するカバー接続部を備えると、シェルの電位も確実に接地電位とすることができ、好適である。
【図面の簡単な説明】
【００１５】
【図１】本発明のコネクタの斜視図である。
【図２】本発明のコネクタの分解斜視図である。
【図３】本発明のコネクタの詳細な分解斜視図である。
【図４】本発明のコネクタのコンタクトの配置と、コンタクトと電線との接続を示す斜視図である。
【図５】本発明のコネクタの平断面図である。
【図６】本発明のコネクタのコンタクトの配置と、コンタクトと電線との接続を示す平面図である。
【図７】本発明のコネクタのガイド部材の平面図である。
【図８】本発明のコネクタのガイド部材の前後方向視の断面図である。
【図９】本発明のコネクタの接地端子を備えない位置における側断面図である。
【図１０】本発明のコネクタの接地端子を備える位置における側断面図である。
【発明を実施するための形態】
【００１６】
以下に図面を用いて本発明のコネクタの実施形態を説明する。図１，図２および図３は、本発明のコネクタの斜視図、分解斜視図、および、より詳細な分解斜視図である。図１，２に示すように、コネクタは樹脂等の絶縁体からなる第１ケース１１，第２ケース１２によりケース１が形成されている。ケース１の一方側の端部には、複数の電線をまとめて被覆したケーブルＣが挿入されている。なお、本実施形態では、ケーブルＣは同軸ケーブルとし、複数の信号用電線Ｃｓをポリエチレン等の誘導体により被覆し、誘導体の外方を接地用電線Ｃｇとしての編組線が覆い、さらに、接地用電線Ｃｇをビニル等の絶縁体によって被覆している。
【００１７】
また、ケース１の他方側の端部からは後述する被挿入部２１ａが延出している。被挿入部２１ａを接続対象のジャックに挿入することにより、ケーブルＣを接続対象に接続することができる。なお、以下の説明では、ケーブルＣが挿入されている側を後方、被挿入部２１が突出している側を前方と称する。また、以下の説明では便宜上、第１ケース１１側を下側、第２ケース１２側を上側、と表現する。
【００１８】
図２に示すように、第１ケース１１の内面には４つの凹部１１ａが形成されており、前後の側壁からは係合孔１１ｃが形成された被係合部１１ｂが立設されている。一方、第２ケース１２の内面には第１ケース１１の凹部１１ａに対応する凸部１２ａが形成されている。したがって、第１ケース１１と第２ケース１２とを嵌め合わせた際には、凹部１１ａに凸部１２ａが嵌合し、第１ケース１１と第２ケース１２との相対位置を固定することができる。また、第２ケース１２の前後の側壁の外面には、第１ケース１１の係合孔１１ｃに対応する係合突起１２ｂが形成されている。したがって、第１ケース１１と第２ケース１２とを嵌め合わせた際には、係合突起１２ｂが、第１ケース１１の係合孔１１ｃに係合し、第１ケース１１と第２ケース１２との嵌合が容易に解除されないようになっている。
【００１９】
図２，３に示すように、ケース１の内部には、被挿入部２１ａを有するプラグ部２と、ケーブルＣの電線をプラグ部２に案内する絶縁体からなるガイド部材３と、被挿入部２１ａが露出するようにプラグ部２を覆う金属等の導体からなるカバー部材４と、が収容されている。なお、プラグ部２は、被挿入部２１ａがケース１の前方から突出するように、ケース１に収容されている。
【００２０】
図３に示すように、プラグ部２は、金属等の導体からなるシェル２１、樹脂等の絶縁体からなるボディ２２、樹脂等の絶縁体からなり、後述するコンタクト５を前後両端部が延出するように内挿し、保持するコンタクト収容部材２３を備えている。
【００２１】
シェル２１は、接続対象のジャックに挿入される被挿入部２１ａ、被挿入部２１ａの後方に接続する底壁２１ｂ、底壁２１ｂの両側部から立設する一対の第１側壁２１ｃ、底壁２１ｂの両側部の第１側壁２１ｃよりも所定距離をあけた後方から立設する第２側壁２１ｄ、底壁２１ｂの後端部から後方に延出する舌部２１ｅ（本発明のカバー接続部の例）を備えている。また、第１側壁２１ｃは内側に折り曲げ加工された爪部２１ｆを備えており、第１側壁２１ｃおよび第２側壁２１ｄは係止孔２１ｇを備えている。
【００２２】
ボディ２２は、コンタクト５を挿入するコンタクト挿入溝２２ｂが形成され、被挿入部２１ａに内挿されるコンタクト挿入部２２ａ、コンタクト挿入部２２ａの後方に接続する底壁２２ｃ、底壁２２ｃの前端部から立設する一対の位置決め柱２２ｄを備えている。また、位置決め柱２２ｄの後方側壁面には凹部２２ｅが形成されている。コンタクト挿入部２２ａを被挿入部２１ａに内挿する際には、位置決め柱２２ｄの前方側壁が被挿入部２１ａの後端に当接し、ボディ２２の前後方向における位置決めを行うことができる。
【００２３】
コンタクト収容部材２３は、コンタクト５を支持する支持溝が生成されたコンタクト支持部２３ａ、コンタクト支持部２３ａの後方に接続し、コンタクト５を内挿するように収容するコンタクト収容部２３ｂを備えている。コンタクト５は、その前端部がコンタクト支持部２３ａの前端部よりも前方に突出するようにコンタクト支持部２３ａに支持されている。上述したコンタクト挿入部２２ａの後部は、コンタクト支持部２３ａを挿入することができるように、中空に構成されている。コンタクト支持部２３ａをコンタクト挿入部２２ａに挿入した際には、コンタクト支持部２３ａよりも突出しているコンタクト５の前端部はコンタクト挿入部２２ａのコンタクト挿入溝２２ｂに挿通される。なお、図３では、コンタクト５とコンタクト収容部材２３とを分離して表しているが、これらはインサート成形により一体形成されている。
【００２４】
コンタクト収容部２３ｂの前方側壁には、ボディ２２の位置決め柱２２ｄの凹部２２ｅに対応する一対の凸部２３ｃが形成されている。コンタクト支持部２３ａをコンタクト挿入部２２ａに挿入した際には、凸部２３ｃが位置決め柱２２ｄの凹部２２ｅに嵌合し（図５参照）、コンタクト収容部材２３の位置決めを行うことができる。また、コンタクト収容部２３ｂの前方側壁の凸部２３ｃの間には、前方に突出する突出部２３ｆが形成されている。コンタクト支持部２３ａをコンタクト挿入部２２ａに挿入した際には、この突出部２３ｆは位置決め柱２２ｄの間にはまり込むようになっている（図５参照）。さらに、コンタクト収容部２３ｂの両側壁には凹部２３ｄが形成されており、コンタクト支持部２３ａをコンタクト挿入部２２ａに挿入した際には、シェル２１の爪部２１ｆがこの凹部２３ｄに係合する（図５参照）。これにより、コンタクト収容部材２３がボディ２２から抜け出すのを防止することができる。また、コンタクト収容部材２３の後方側面には、３つの係合溝２３ｅが形成されている。なお、この係合溝２３ｅの数は、後述する接地端子３１の数に対応している。
【００２５】
図４は、コンタクト５の配置と、コンタクト５とガイド部材および電線との関係を表す斜視図である。図３，４に示すように、本発明のコンタクト５は、第１コンタクト５１と第２コンタクト５２との２種類のコンタクトから構成されている。
【００２６】
第１コンタクト５１の前端部には、コネクタを接続対象のジャックに挿入した際に、ジャックの信号用コンタクトと電気的に接続する可動接点部５１ａが形成されている。図に示すように、この可動接点部５１ａは弾性を有する形状に構成されており、可動接点部５１ａはジャックのコンタクトに対して弾性接触する。これにより、可動接点部５１ａとジャックのコンタクトとを確実に接触させ、また、確実に接触状態を維持することができる。一方、第１コンタクト５１の後端部には、ケーブルＣの信号用電線Ｃｓと接続する電線接続部５１ｂが形成されている。電線接続部５１ｂの端部は上方に折り曲げ加工され、その先端部はＵ字状に形成されている。したがって、第１コンタクト５１では、電線接続部５１ｂの幅は可動接点部５１ａの幅よりも大きくなっている。
【００２７】
一方、第２コンタクト５２の前端部には、コネクタを接続対象のジャックに挿入した際に、ジャックのグランド用コンタクトと電気的に接続する可動接点部５２ａが形成されている。第２コンタクト５２の可動接点部５２ａも第１コンタクト５１の可動接点部５１ａと同様に、弾性を有する形状に構成されている。また、第２コンタクト５２の後端部には、ケーブルＣの電線には直接的に接続されない、接地接点部５２ｂが形成されている。プラグ部２を上方から見ると、コンタクト収容部材２３の係合溝２３ｅ部分において、第２コンタクト５２の接地接点部５２ｂが露出している（図５参照）。
【００２８】
図４に示すように、第２コンタクト５２の長さは第１コンタクト５１の長さよりも短く構成されており、複数の第１コンタクト５１および複数の第２コンタクト５２は並列状態で配置されている。図から明らかなように、第２コンタクト５２の後端は第１コンタクト５１の後端よりも前方に位置するように配置されている。具体的には、第２コンタクト５２の後端（接地接点部５２ｂの後端）が、第１コンタクト５１のうち、可動接点部５１ａの幅よりも幅広に構成されている部分の前端よりも前方に位置するように配置されている。また、第１コンタクト５２は側方に屈曲するように形成されており、第１コンタクトが屈曲することによって形成された空間に第２コンタクトの接地接点部５２ｂを配置している。第１コンタクト５１と第２コンタクト５２とをこのように構成することにより、第１コンタクト５１の電線接続部５１ｂと第２コンタクト５２の接地接点部５２ｂとが並列しないように配置することができ、コネクタの幅を狭く構成することができる。また、図４に示すように、第１コンタクト５１の可動接点部５１ａの前端は、第２コンタクト５２の可動接点部５２ａの前端よりも引退するように配置されている。
【００２９】
図７は、ガイド部材３の平面図、図８はガイド部材３の前後方向視の断面図である。図８に示すように、ガイド部材３は、ケーブルＣの信号用電線Ｃｓのそれぞれを挿通し、前方に案内する電線ガイド孔３ａを備えている。また、図７に示すように、ガイド部材３の前方側壁（図面では下側）には、電線ガイド孔３ａにより前方に向けて案内された信号用電線Ｃｓを上方に案内するガイド溝３ｂが形成されている。これらにより、各々の信号用電線Ｃｓは互いに接触することなくガイド部材３に保持される。
【００３０】
また、ガイド部材３には、ガイド部材３をプラグ部２に取り付けた際に、第１コンタクト５１の電線接続部５１ｂのＵ字状部分を受け入れるコンタクトガイド孔３ｃが形成されている。このコンタクトガイド孔３ｃは、電線ガイド孔３ａと連通するように設けられている。したがって、ガイド部材３をプラグ部２に取り付けた際には、コンタクトガイド孔３ｃに挿入された電線接続部５１ｂのＵ字状部分が、電線ガイド孔３ａに挿通された信号用電線Ｃｓを挟み込む（図６参照）。これにより、信号用電線Ｃｓと電線接続部５１ｂとが電気的に接続される。なお、電線接続部５１ｂの先端はコンタクトガイド孔３ｃからは突出しないように構成されている（図９参照）。
【００３１】
ガイド部材３の底面には、接地端子３１を収容する接地端子収容溝３ｄが形成されている。また、ガイド部材３の上面には、接地端子収容溝３ｄと連通するように係止孔３ｇが形成されている。
【００３２】
図４に示すように、接地端子３１は、端子本体３１ａ、弾性を有する形状に構成され、端子本体３１ａから前方に延びる接地接点部３１ｂ、本体から上方に突出する突出部３１ｃを備えている。この接地端子３１をガイド部材３１の底面から接地端子収容溝３ｄに沿って挿入する。このとき、接地端子の突出部３１ｃはガイド部材３の係止孔３ｇに挿入され、ガイド部材３の上面よりも突出する。なお、接地端子３１の突出部３１ｃには一対の係止突起３１ｄが形成されているため、この係止突起３１ｄがガイド部材３の係止孔３ｇに係止され、接地端子３１が接地端子収容溝３ｄから抜け出しにくくしている。
【００３３】
なお、ガイド部材３の上面には凹部３ｅが形成されおり、コンタクトガイド孔３ｃおよび係止孔３ｇはこの凹部３ｅ部分に形成されている。
【００３４】
また、ガイド部材３の前方には、コンタクト収容部材２３の係合溝２３ｅに対応する係合突起３ｈが形成されている。この係合突起３ｈの底面側にも接地端子収容溝３ｄが形成されており、接地端子３１の接地接点部３１ｂの前端部が収容されている。そのため、ガイド部材３をプラグ部２に取り付けた際には、ガイド部材３の係合突起３ｈがコンタクト収容部材２３の係合溝２３ｅに係合するとともに、接地端子３１の接地接点部３１ｂが第２コンタクト５２の接地接点部５２ｂに弾性接触する。これにより、ガイド部材３の位置決めができるとともに、第２コンタクト５２と接地端子３１とを電気的に接続することができる。したがって、第２コンタクト５２を接地することができる。また、接地端子３１の接地接点部３１ｂが弾性接触するため、接地端子３１と第２コンタクト５２とを確実に接触させることができる。これにより、組立作業を容易化し、作業者の技術の程度によらず、コネクタの品質を均一化することができる。これは、特に、作業現場でコネクタを組み立てる際には重要である。
【００３５】
なお、ガイド部材３の係合突起３ｈにより、接地接点部３１ｂと接地接点部５２ｂとの接触部分がカバーされる（図６参照）。
【００３６】
また、ガイド部材３の側壁には側方に突出する一対の凸部３ｆが形成されている。ガイド部材３をプラグ部２に取り付けた際には、この凸部３ｆがプラグ部２のシェル２１の第１側壁２１ｃと第２側壁２１ｄとの間に形成された隙間にはまり込む（図２，５参照）。これにより、ガイド部材３をプラグ部２に対して固定することができる。
【００３７】
図２，３に示すように、カバー部材４は、上壁４ａ、上壁４ａの両端から垂下するように設けられた一対の第１側壁４ｂ、上壁４ａの第１側壁４ｂよりも後方から垂下するように設けられた一対の第２側壁４ｃを備えている。第１側壁４ｂおよび第２側壁４ｃには係止突起４ｄが設けられている。カバー部材４をプラグ部２に取り付けた際には、係止突起４ｄがシェル２１の第１側壁２１ｃおよび第２側壁２１ｄの係止孔２１ｇに係止される（図２，５参照）。これにより、カバー部材４がプラグ部２から外れることを防止することができる。
【００３８】
また、カバー部材４の後端にはかしめることによりケーブルＣを保持するケーブル保持部４ｅ（本発明の接地用電線接続部の例）が形成されている。ケーブルＣが同軸ケーブルのように外周に接地用電線Ｃｇを備えている場合には、ケーブル保持部４ｅを介してカバー部材４と接地用電線Ｃｇとが電気的に接続される。また、カバー部材４をプラグ部２に取り付けた際には、プラグ部２のシェル２１の舌部２１ｅがケーブル保持部４ｅに接触するように構成されている。したがって、カバー部材４が接地用電線Ｃｇと電気的に接続されている場合には、カバー部材４を介して、接地用電線Ｃｇとシェル２１とを電気的に接続することができる。
【００３９】
カバー部材４の上面には、弾性を有するように下方に湾曲する接地端子接続部４ｆが形成されている。図１０に示すように、カバー部材４をプラグ部２に取り付けた際には、この接地端子接続部４ｆはガイド部材３の上面から突出している接地端子３１の突出部３１ｃと弾性接触し、電気的に接続される。したがって、カバー部材４が接地用電線Ｃｇと電気的に接続されている場合には、カバー部材４，接地端子３１を介して、接地用電線Ｃｇと第２コンタクト５２とが電気的に接続される。すなわち、第２コンタクト５２に対して接地電位を供給することができる。
【００４０】
これらにより、カバー部材４，シェル２１，第２コンタクト５２が同電位（接地電位）となり、コネクタのＥＭＩ特性および伝送特性を向上させることができる。
【００４１】
また、カバー部材４の上面には開口４ｇが形成されている。この開口４ｇは、ガイド部材３のガイド溝３ｂに対応する位置に形成されている（図２参照）。
【００４２】
〔組み立て方法〕
以下に、本発明のコネクタの組み立て方法を説明する。まず、ケーブルＣの被覆を剥がし、信号用電線Ｃｓおよび接地用電線Ｃｇを露出させる。次に、各々の信号用電線Ｃｓをガイド部材３の電線ガイド孔３ａに挿通し、ガイド溝３ｂに沿うように上方に折り曲げる。そして、ガイド部材３をプラグ部２に取り付ける。
【００４３】
このとき、プラグ部２の第１コンタクト５１の電線接続部５１ｂは、ガイド部材３のコンタクトガイド孔３ｃに挿入される。コンタクトガイド孔３ｃに挿入された第１コンタクト５１の電線接続部５１ｂは、電線ガイド孔３ａに挿通されている信号用電線Ｃｓに圧接され、信号用電線Ｃｓと第１コンタクト５１とが電気的に接続される。また、ガイド部材３に収容された接地端子３１が第２コンタクト５２の接地接点部５２ｂと接触し、これらが電気的に接続される。
【００４４】
ガイド部材３が取り付けられたプラグ部２に対してカバー部材４を取り付け、カバー部材４のケーブル保持部４ｅをケーブルＣの外周に対してかしめる。これにより、ケーブルＣの接地用電線Ｃｇとカバー部材４とが電気的に接続される。また、カバー部材４は接地端子接続部４ｆを介してガイド部材３に保持された接地端子３１と接触する。これにより、カバー部材４，接地端子３１を介して、接地用電線Ｃｇと第２コンタクト５２とを電気的に接続することができる。さらに、プラグ部２のシェル２１の舌部２１ｅがケーブル保持部４ｅと接触する。これにより、カバー部材４を介して、接地用電線Ｃｇとプラグ部２のシェル２１とを電気的に接続することができる。したがって、第２コンタクト５２，カバー部材４，プラグ部２のシェル２１が全て同じ電位（接地電位）となり、コネクタのＥＭＩ特性および伝送特性を向上させることができる。
【００４５】
最後に、ガイド部材３およびカバー部材４が取り付けられたプラグ部２に対して、上下から第１ケース１１および第２ケース１２を取り付ける。
【００４６】
このように、本発明のコネクタでは、小型化を実現しつつ、組み立ての容易性、コネクタ性能の向上を実現することができる。
【００４７】
〔別実施形態〕
（１）上述の実施形態では、圧接により第１コンタクト５１と信号用電線Ｃｓとを接続するために第１コンタクト５１の電線接続部５１ｂをＵ字状に構成したが、これに限定されるものではない。例えば、半田付けにより第１コンタクト５１と信号用電線Ｃｓとを接続しても構わない。この場合には、第１コンタクト５１の電線接続部をＵ字状に構成する必要はなく、平板形状等でも構わない。
【００４８】
（２）上述の実施形態では、ケーブルＣの外周に接地用電線Ｃｇを備えていたが、ケーブルＣはこれに限定されるものではない。例えば、信号用電線Ｃｓと接地用電線Ｃｇとが並列的に設けられているものであっても構わない。この場合にも、ケーブル保持部４ｅが接地用電線Ｃｇと接続するように構成すればよい。また、ケーブルＣが接地用電線Ｃｇを備えていなくとも構わない。この場合には、ケーブル保持部４ｅはケーブルＣの被覆に接触していることが望ましい。これにより、接地端子３１は第２コンタクト５２と絶縁体とに接続するため、第２コンタクト５２は実質的に接地される。
【産業上の利用可能性】
【００４９】
本発明は、複数の電線を有するケーブルを接続対象に接続するコネクタに用いることができる。
【符号の説明】
【００５０】
Ｃ：ケーブル
Ｃｓ：信号用電線
Ｃｇ：接地用電線
１：ケース
２：プラグ部
２１：シェル
２１a：被挿入部
２１ｅ：舌部（カバー接続部）
２３：コンタクト収容部材
３：ガイド部材
３１：接地端子
３１ｂ：接地接点部
４：カバー部材
４ａ：上壁
４ｂ：第１側壁
４ｃ：第２側壁
４ｄ：係止突起
４ｅ：ケーブル保持部（接地用電線接続部）
４ｆ：接地端子接続部
５：コンタクト
５１：第１コンタクト
５１ａ：可動接点部
５１ｂ：電線接続部
５２：第２コンタクト
５２ａ：可動接点部
５２ｂ：接地接点部
【図１】
0005811460.tif 000002
【図２】
0005811460.tif 000003
【図３】
0005811460.tif 000004
【図４】
0005811460.tif 000005
【図５】
0005811460.tif 000006
【図６】
0005811460.tif 000007
【図７】
0005811460.tif 000008
【図８】
0005811460.tif 000009
【図９】
0005811460.tif 000010
【図１０】
0005811460.tif 000011